(57)【要約】【課題】  複数のＨＤＭＩ入力部を持つ映像受信装置とＨＤＭＩ出力機器とを接続した際に生じる通信エラーなどの不具合を低減する。【解決手段】  複数のＨＤＭＩ信号入力部を持つ映像受信装置において、ユーザの映像入力選択処理時に生成される入力選択信号を使用し電源制御を行うことで、ユーザにより選択されたＨＤＭＩ受信部のみオン制御を行い、その他の選択されていないＨＤＭＩ受信部を確実にオフ制御することにより接続されるＨＤＭＩ出力機器の通信エラーを未然に防止する。【選択図】図２
2009177269.tif 000002
【特許請求の範囲】
【請求項１】
映像受信装置において、
外部装置とインターフェースを解して接続可能であり、該外部装置から映像信号を受信可能な複数の受信部と、
前記複数の受信部のそれぞれに対して電源を供給する電源部と、
前記電源部を制御するための制御部と、を備え、
前記制御部は、前記複数の受信部のうち選択された受信部に対して電源を供給するように前記電源部を制御することを特徴とする映像受信装置。
【請求項２】
請求項１に記載の映像受信装置において、前記映像受信装置を操作するためのリモコンへの操作により前記受信部が選択されることを特徴とする映像受信装置。
【請求項３】
請求項１に記載の映像受信装置において、前記電源部は、前記複数の受信部のそれぞれに対応して設けられており、
前記制御部は、前記複数の受信部のうち選択された受信部に電源を供給するよう、該選択された受信部に対応する前記電源部を制御し、選択されない受信部には電源を供給しないよう、該選択されない受信部に対応する前記電源部を制御することを特徴とする映像受信装置。
【請求項４】
請求項１に記載の映像受信装置において、前記電源部によって電源が供給された受信部が、当該受信部と前記インターフェースを介して接続された前記外部装置と通信可能であることを特徴とする映像受信装置。
【請求項５】
請求項４に記載の映像受信装置において、前記外部装置との通信として、前記映像受信装置の仕様に関する情報を前記外部装置に送信することを特徴とする映像受信装置。
【請求項６】
請求項１に記載の映像受信装置において、更に、前記映像受信装置の仕様に関する情報を記憶するメモリを備え、前記電源部によって電源が供給された受信部が、前記メモリに記憶された前記映像受信装置の仕様に関する情報を、前記インターフェースを介して前記外部装置へ送信可能としたことを特徴とする映像受信装置。
【請求項７】
請求項６に記載の映像受信装置において、前記選択された受信部に前記外部機器の電源を示す信号が前記デジタルインターフェースを介して供給されている場合に、前記メモリに記憶された前記映像受信装置の仕様に関する情報を前記外部装置へ送信することを特徴とする映像受信装置。
【請求項８】
請求項１に記載の映像受信装置において、前記制御部は、前記選択された受信部に前記外部装置の電源を示す信号が前記インターフェースを介して与えられた場合に、前記選択された受信部に電源を供給するよう前記電源部を制御することを特徴とする映像受信装置。
【請求項９】
映像受信装置において、
外部装置とデジタルインターフェースを解して接続可能であり、該外部装置からデジタル形式の映像信号を受信可能な複数の受信部と、
前記各受信部に対応して設けられており、前記複数の受信部にそれぞれ電源を供給する複数の電源部と、
前記各受信部に対応して設けられており、前記映像受信装置の仕様に関する情報を記憶する複数のメモリと、
前記電源部を制御するための制御部と、を備え、
前記制御部は、前記複数の受信部のうち選択された一つの受信部に電源を供給するように、該選択された受信部に対応する前記電源部を制御し、前記一つの受信部に前記外部機器が接続されている場合に、該一つの受信部に対応する前記メモリに記憶された前記情報を、前記一つの受信部とデジタルインターフェースを介して接続された外部機器に送信することを特徴とする映像受信装置。
【請求項１０】
請求項９に記載に映像受信装置において、前記制御部は、前記デジタルインターフェースを介して与えられた、前記外部装置の電源を示す信号を用いて前記外部機器が前記受信部に接続されているか否かを判定することを特徴とする映像受信装置。
【請求項１１】
請求項１０に記載の映像受信装置において、前記制御部は、前記選択された受信部に前記外部装置の電源を示す信号が前記デジタルインターフェースを介して与えられた場合に、前記選択された受信部に電源を供給するよう対応する電源部を制御することを特徴とする映像受信装置。
【請求項１２】
映像受信装置において、
外部装置から映像信号を受信可能な複数の受信部と、
前記映像受信装置の仕様に関する情報を記憶するメモリと、
制御部と、を備え、
前記制御部は、前記複数の受信部のうち外部からの指示により選択された受信部に前記外部装置が接続されている場合に、前記メモリに記憶された前記情報を前記選択された受信部から前記外部装置へ送信することを許可することを特徴とする映像受信装置。
【請求項１３】
請求項１１に記載の映像受信装置において、前記複数の受信部は、それぞれ、ＨＤＭＩ（High Definition Multimedia Interface）規格に準拠したデジタルインターフェースで前記外部機器と接続されることを特徴とする映像受信装置。
【発明の詳細な説明】
【技術分野】
【０００１】
本発明は、インターフェースを介して外部の装置から映像信号を受信可能な受信部を備えた映像表示装置に関し、特に、該受信部により外部装置との通信の通信を行うようにした映像受信装置に関する。
【背景技術】
【０００２】
周知のように、デジタル形式の映像信号を伝送するためのデジタルインターフェースの規格として、ＤＶＩ(Digital Visual Interface)規格、並びにこのＤＶＩ規格を改良したデジタル信号伝送規格として、ＨＤＭＩ(High Definition Multimedia Interface)規格が存在している。
【０００３】
ＨＤＭＩ規格にはＰＯＷＥＲ,ＤＤＣ（Display Data channel）,ＴＭＤＳ（Transition Minimized Differential Signaling）,ＨＰＤ（Hot Plug Detect）などのラインが存在する。ＨＤＭＩ出力端子を備えた外部機器（以下、「ＨＤＭＩ出力機器」という）がＨＤＭＩ信号入力部を備えた映像受信装置へ接続されると、映像受信装置はこのＰＯＷＥＲ信号を検出し、ＨＰＤ信号をハイレベル（High  Level：以下、「Ｈレベル」という）とする。ＨＤＭＩ出力機器はこのＨＰＤ信号のＨレベルを検出することによりＤＤＣラインを介してＨＤＭＩ認証を開始し、その後映像受信装置とＨＤＭＩ出力機器間で通信を行う。この際使用されているＨＰＤ信号は、一般に、映像受信機側でＰＯＷＥＲ信号をそのままループバックすることにより生成されている(例えば、特許文献１の図２参照)。
【０００４】
【特許文献１】特開２００４−１９１４５４号公報
【発明の開示】
【発明が解決しようとする課題】
【０００５】
従来の技術では、一つのＨＤＭＩ入力部を持つ映像受信装置とＨＤＭＩ出力機器とを接続した際に、ＨＤＭＩ認証時に通信エラーを引き起こすことはない。しかし、複数のＨＤＭＩ入力端子を持つ映像受信装置へ、ＨＤＭＩ出力機器を複数接続した際に、映像受信装置によって選択されてないＨＤＭＩ入力に接続されたＨＤＭＩ出力機器が、ＨＰＤ信号により通信許可が出されていないにもかかわらず、ＨＤＭＩ認証を開始してしまい、例えば通信エラーなどの不具合を起こしてしまう場合がある。
【０００６】
かかる通信エラーは、選択されていない外部機器（ＨＤＭＩ出力機器）が上記ＨＰＤ信号の状態を参照せずにＴＭＤＳラインの信号の状態を参照して認証を開始するために生じるものと考えられる。
【０００７】
映像受信装置は、選択されていないＨＤＭＩ出力機器がＨＤＭＩ認証を開始しても応答を返すことは無い。よって、映像受信装置によって選択されていないＨＤＭＩ出力機器は、映像受信装置からの応答を得ることができず、映像受信装置とのＨＤＭＩ認証過程を正常に終了することができない。このため、映像受信装置によって選択されていないＨＤＭＩ出力機器は通信エラーを起こしてしまう場合がある。さらに、映像受信装置が通信エラーを起こしているＨＤＭＩ出力機器を選択した際に、画像の乱れ，映像表示装置への画像表示の遅れなどが発生してしまう。
【０００８】
本発明は、上記した課題に鑑みてなされたもので、その目的は、複数のデジタル映像信号の受信部を持つ映像受信装置と外部機器との通信を良好にするための技術を提供することにある。
【課題を解決するための手段】
【０００９】
本発明は、特許請求の範囲に記載された構成を特徴とするものである。具体的には、外部装置とインターフェース（例えばＨＤＭＩ）を介して接続される複数の受信部のうち、選択された方に電源を供給することを特徴とするものである。そして当該選択された受信部に前記外部装置からの電源を示す信号（例えばＰＯＷＥＲ信号）が与えられている場合に、その選択された受信部から外部機器に映像受信装置の仕様に関する情報を送信するものである。
【００１０】
換言すれば、本発明は、上記選択された受信部に前記外部装置が接続されている場合に、映像受信装置の仕様に関する情報を当該選択された受信部から外部装置に送信することを許可することで上述した認証動作を開始するようにしたものである。
【００１１】
本発明では、選択された受信部に対して電源を供給するので、選択されていない受信部に対して電源が供給されないようにできる。これにより、選択されてない外部機器が認証動作を開始することを防止し、例えば上述したような通信エラー等を回避することができる。
【発明の効果】
【００１２】
本発明によれば、複数のデジタル映像信号の受信部を持つ映像受信装置と外部機器との通信を良好にすることが可能となる。
【発明を実施するための最良の形態】
【００１３】
以下、本発明の好ましい実施形態について、２つのＨＤＭＩ入力端子及び映像表示部を持った映像受信装置を例にとり説明を行うが、本発明はこれらの実施形態には限定されない。
【実施例１】
【００１４】
図１は、映像受信装置と外部機器であるＨＤＭＩ出力機器と接続したときの構成、及び映像受信装置の構成を示す概略ブロック図である。
【００１５】
図１において、映像受信装置３０は、装置全体を制御する制御部３１と、第１ＨＤＭＩ受信部３２と、第１ＨＤＭＩ受信部３２に電源を供給する第１電源部３３と、第１ＨＤＭＩ入力端子３４と、第２ＨＤＭＩ受信部３５と、第２ＨＤＭＩ受信部３５に電源を供給する第２電源部３６と、第２ＨＤＭＩ入力端子３７と、ユーザインターフェースとしての入力選択部３８と、映像表示部３９とを含んでなる。第１ＨＤＭＩ受信部３２は、内部に例えば映像受信装置３０の仕様に関する情報であるＥＤＩＤ(Extended Display Identification Data)などを格納した第１メモリ部３２aを有し、第２ＨＤＭＩ受信部３５は、内部に例えばＥＤＩＤなどを格納した第２メモリ部３５aを有している。ここで、映像受信装置３０の仕様に関する情報は、例えば映像受信装置３０が有する映像表示部３９の解像度、対応水平・垂直周波数、映像受信装置３０が対応可能な映像信号の種類（コンポーネント信号、ＲＧＢ信号など）を示す情報であり、更に、映像受信装置３０のメーカ名、製造番号、機種などの識別番号も含むものとしてもよい。
【００１６】
本実施例では、映像受信装置３０には、ＨＤＭＩ規格に準拠した映像信号源としての第１ＨＤＭＩ出力機器１０と第２ＨＤＭＩ出力機器２０とが接続されている。
【００１７】
第１ＨＤＭＩ出力機器１０は、第１ＨＤＭＩ出力端子１２を有し、その第１ＨＤＭＩ出力端子１２は第１ＨＤＭＩコネクタ１１を介して第１ＨＤＭＩ入力端子３４へ接続されている。また、第２ＨＤＭＩ出力機器２０は、第２ＨＤＭＩ出力端子２２を有し、その第２ＨＤＭＩ出力端子２２は第２ＨＤＭＩコネクタ２１を介して第２ＨＤＭＩ入力端子３７へ接続されている。
【００１８】
第１ＨＤＭＩコネクタ１１および第２ＨＤＭＩコネクタ２１の内部には、それぞれ、映像受信装置３０からＥＤＩＤなどを読み出すためのＤＤＣライン、デジタル化された画像情報を含むＴＭＤＳ信号を映像受信装置へ送出するためのＴＭＤＳライン、ＨＤＭＩ出力機器の接続を検出したときに映像受信装置がＨＤＭＩ出力機器にＨＰＤ信号を出力するためのＨＰＤラインや、ＨＤＭＩ出力機器側からそのＨＤＭＩ出力機器の電源を示すＰＯＷＥＲ信号（例えば５Ｖ）を供給するためのＰＯＷＥＲラインなどが通っている。
【００１９】
ここで、本実施例による映像受信装置の詳細な説明の前に、先ず、ＤＤＣライン，ＴＭＤＳライン，ＨＰＤライン，ＰＯＷＥＲラインと映像受信装置３０を構成する各構成要素との接続構成、およびこれらのラインを介してなされるＨＤＭＩ出力機器１０，２０と映像受信装置３０との間の処理について説明しておく。
【００２０】
第１ＨＤＭＩ出力機器１０側の第１ＨＤＭＩコネクタ１１において、ＤＤＣラインは第１ＨＤＭＩ受信部３２に内蔵されている第１メモリ部３２aに、ＴＭＤＳラインは第１ＨＤＭＩ受信部３２に、ＨＰＤラインとＰＯＷＥＲラインは制御部３１にそれぞれ接続されている。また、第２ＨＤＭＩ出力機器２０側の第２ＨＤＭＩコネクタ２１において、ＤＤＣラインは第２ＨＤＭＩ受信部３５に内蔵されている第２メモリ部３５aに、ＴＭＤＳラインは第２ＨＤＭＩ受信部３５に、ＨＰＤラインとＰＯＷＥＲラインは制御部３１にそれぞれ接続されている。
【００２１】
各ＨＤＭＩ出力機器からのＰＯＷＥＲ信号は、ＨＤＭＩ出力機器側でＨレベルのロジックを構成しており、ＨＤＭＩ出力機器は自身に電力が供給されるとＰＯＷＥＲラインをＨレベルとする。電力が供給されたＨＤＭＩ出力機器が接続、もしくは映像受信装置３０に接続された状態のＨＤＭＩ出力機器に電力が供給されると、制御部３１へ接続されているＰＯＷＥＲラインがＨレベルとなる。これを受けて、制御部３１はＨＤＭＩ出力機器の接続検出処理を行う。例えば、電力が供給された第１ＨＤＭＩ出力機器１０が第１ＨＤＭＩコネクタ１１を介して第１ＨＤＭＩ入力端子３４へ接続された場合には、制御部３１は、ＰＯＷＥＲラインのＨレベルを検出し、第１ＨＤＭＩ出力機器１０の接続を検出する。
【００２２】
ＨＰＤラインもＰＯＷＥＲラインと同様にＨＤＭＩコネクタにより映像受信装置３０内の制御部３１へと接続されている。そして、ＨＰＤラインを介して、制御部３１はＨＤＭＩ出力機器側へＨＰＤ信号を伝送している。本実施例では、制御部３１は、ＨＰＤ信号として通信許可信号を使用することで、ＨＤＭＩ出力機器の通信許可制御を行っている。
本実施例による通信許可信号は、ＨＤＭＩ出力機器が接続された際に受信するＰＯＷＥＲ信号と、図示しないユーザがＨＤＭＩ出力機器からの映像入力を選択した際に入力選択部３８により生成される映像入力選択信号との２種類の信号から、制御部３１によって生成される。例えば、第１ＨＤＭＩ出力機器１０及び第２ＨＤＭＩ出力機器２０が映像受信装置３０へ接続されているとき、映像入力選択操作によって選択されたＨＤＭＩ出力機器が第１ＨＤＭＩ出力機器１０であるとすると、制御部３１から第１ＨＤＭＩ出力機器１０へ通信許可信号が送出され、選択されていない第２ＨＤＭＩ出力機器２０へは通信許可信号が送出されない。通信許可信号を受信した第１ＨＤＭＩ出力機器１０は、映像受信装置３０とのＨＤＭＩ認証を開始する。これらのシーケンスについては後述する。
【００２３】
ＤＤＣラインは、ＨＤＭＩコネクタにより映像受信装置３０内のそれぞれのメモリ部へと接続されている。ＤＤＣラインは、選択されたＨＤＭＩ出力機器が映像受信装置３０とのＨＤＭＩ認証過程を実行する際に、映像受信装置３０の仕様に関する情報であるＥＤＩＤを、選択されたＨＤＭＩ出力機器側のメモリ部から読み出す際に使用される。ＨＤＭＩ出力機器は映像受信装置３０からのＨＰＤ信号を受信した後、前記ＥＤＩＤの読み出しを開始する。
【００２４】
映像受信装置３０により選択されたＨＤＭＩ出力機器は、ＥＤＩＤをＨＤＭＩ受信部内蔵のメモリ部から読み出して受信した後、そのＥＤＩＤに基づき生成した（例えばＥＤＩＤで示される映像表示部３９の解像度に適合するように生成した）デジタル形式の映像情報を含むＴＭＤＳ信号を、ＨＤＭＩコネクタのＴＭＤＳラインを介して映像受信装置３０内にある選択されたＨＤＭＩ出力機器側のＨＤＭＩ受信部へと送出する。
【００２５】
次に、映像受信装置３０の構成について、詳細に説明する。
入力選択部３８は、ユーザ（図示せず）の操作を受け付ける複数のボタンや、リモートコントローラ（以下、「リモコン」という）からの赤外線を受光する受光部などを含んでなるユーザインターフェースである。例えば、ユーザがリモコンで入力選択操作を行った際に、選択された入力（つまり、ＨＤＭＩ出力機器）に応じた入力選択信号（所謂コマンド信号）を生成して、制御部３１へと送信する。
【００２６】
第１電源部３３は、制御部３１の制御の基で、第１ＨＤＭＩ受信部３２に電源を供給する。同様に、第２電源部３６も、制御部３１の制御の基で、第２ＨＤＭＩ受信部３５に電源を供給する。具体的には、各電源部は、制御部３１からの電源制御信号を受信することにより、対応するＨＤＭＩ受信部に電源を供給して動作させる。
【００２７】
第１ＨＤＭＩ受信部３２は、制御部３１の制御の基で、第１電源部３３により電源の供給がオン，オフされ、結果としてその動作がオン，オフ制御される。また、第１ＨＤＭＩ受信部３２は、映像受信装置３０の仕様に関する情報であるＥＤＩＤなどを格納する内蔵メモリとして第１メモリ部３２aを内蔵している。第１メモリ部３２aは、ＨＤＭＩ出力機器側の第１ＨＤＭＩ出力端子１２と映像受信装置３０側の第１ＨＤＭＩ入力端子３４との間を接続する第１ＨＤＭＩコネクタ１１（ＤＤＣライン）を介して第１ＨＤＭＩ出力機器１０と接続されている。第１メモリ部３２ａには、ＥＤＩＤとして、例えば映像表示部３９において表示可能な画像の解像度情報などが書き込まれており、ＨＤＭＩ認証時に使用される。また、第１ＨＤＭＩ受信部３２は、映像表示部３９とも接続されて折り、第１ＨＤＭＩ出力機器１０が送信する映像信号であるＴＭＤＳ信号を第１ＨＤＭＩコネクタ１１及び第１ＨＤＭＩ入力端子３４を介して受信し、このＴＭＤＳ信号を変換して画像信号を生成し、映像表示部３９へと送出する。
【００２８】
第２ＨＤＭＩ受信部３５も第１ＨＤＭＩ受信部３２と同様である。すなわち、第２ＨＤＭＩ受信部３５は、制御部３１の制御の基で、第２電源部３６により電源の供給がオン，オフされ、その動作がオン，オフ制御される。また、内蔵メモリとして第２メモリ部３５ａを有している。第２メモリ部３５aは、第１メモリ部３２aと同様に、ＥＤＩＤとして、例えば映像表示部３９において表示可能な画像の解像度情報などが書き込まれており、ＨＤＭＩ認証時に使用される。また第２メモリ部３５ａは、ＨＤＭＩ出力機器側の第２ＨＤＭＩ出力端子２２と映像受信装置３０側の第２ＨＤＭＩ入力端子３７との間を接続する第２ＨＤＭＩコネクタ２１（ＤＤＣライン）を介して第２ＨＤＭＩ出力機器２０へと接続されている。また、第２ＨＤＭＩ受信部３５は、映像表示部３９とも接続されており、第２ＨＤＭＩ出力機器２０が送信する映像信号であるＴＭＤＳ信号を第２ＨＤＭＩコネクタ２１及び第２ＨＤＭＩ入力端子３７を介して受信し、このＴＭＤＳ信号を変換して画像信号を生成し、映像表示部３９へと送出する。
【００２９】
映像表示部３９は、第１ＨＤＭＩ受信部３２及び第２ＨＤＭＩ受信部３５と接続されており、選択されているＨＤＭＩ受信部から送信されてくる映像信号を受信し映像を表示する。この映像表示部３９は複数の解像度の画像を表示することができ、表示可能な解像度の種類(例えば、ＸＧＡ等)が映像受信装置３０の仕様情報であるＥＤＩＤとして内部に設けられた第１メモリ部３２ａ、第２メモリ部３５ａにあらかじめ記憶されている。
【００３０】
制御部３１は、映像受信装置３０全体を制御する演算制御装置であり、例えば、ＣＰＵ（Central Processing Unit）を含んでなる。制御部３１は、本実施例に係わる処理として、例えば、第１ＨＤＭＩ出力機器１０及び第２ＨＤＭＩ出力機器２０が各ＨＤＭＩコネクタ１１，２１を介して第１及び第２ＨＤＭＩ入力端子３４，３７にそれぞれ接続された際に、送られてくるＨＤＭＩ規格に準拠したＰＯＷＥＲ信号を、第１，第２ＨＤＭＩコネクタ１１，２１及び第１，第２のＨＤＭＩ入力端子３４，３７を介してそれぞれ受信する。すなわち、制御部３１は、ＨＤＭＩ出力機器からのＰＯＷＥＲ信号を受信し、映像受信装置３０側のＰＯＷＥＲラインがＨレベルへ変化したことを検出することにより、ＨＤＭＩ出力機器の接続を検出する接続検出処理を行う。また、制御部３１は、例えばリモコンで映像入力選択操作が行われた際に、入力選択部３８から送信される入力選択信号（例えばコマンド）を受信し、ユーザが選択した映像信号源入力（つまり、ＨＤＭＩ出力機器）を判定する入力選択処理を行う。入力選択信号受信後、制御部３１は、少なくとも入力選択信号を元に電源制御信号を生成し、選択されたＨＤＭＩ出力機器側のＨＤＭＩ受信部に電力を供給する電源部へ送信して、該電源部から電源が供給されるＨＤＭＩ受信部に電源を供給させる電源制御処理を実行する。そして、選択されたＨＤＭＩ入力側のＨＤＭＩ出力機器が接続されていれば該ＨＤＭＩ出力機器に対して通信許可信号を送出する処理を行う。
【００３１】
以下、入力選択処理を行い、選択された映像信号源入力がＨＤＭＩ入力であれば該ＨＤＭＩ入力側のＨＤＭＩ受信部に対する電源制御処理を実行し、選択されたＨＤＭＩ入力へのＨＤＭＩ出力機器接続検出を行う一連のシーケンス処理を、便宜上、ＨＤＭＩ入力設定処理と称するものとする。
【００３２】
次に、ＨＤＭＩ入力設定処理について、図２を用いて説明する。
【００３３】
図２は、本実施例によるＨＤＭＩ入力設定処理を示すフローチャートである。映像受信装置３０内の入力選択部３８は、例えば、リモコンによる入力選択(入力切替)が行われると入力選択信号（コマンド信号）を送出する。制御部３１は、この入力選択信号を受信すると、先ず、入力選択処理を開始する。すなわち、ステップ（以下、ステップを「Ｓ」と略す）１で、入力がＨＤＭＩ入力であるか、つまり、映像入力としてＨＤＭＩ出力機器が選択されたかを判断する。Ｓ１でＨＤＭＩ入力のＨＤＭＩ出力機器が選択されてない場合、制御部３１は、ＨＤＭＩ入力以外の選択された入力に応じた処理を実行し（Ｓ２）、処理を終了する。また、Ｓ１でＨＤＭＩ入力（つまり、ＨＤＭＩ出力機器）が選択された場合、Ｓ３に進み、第１ＨＤＭＩ入力（つまり、第１ＨＤＭＩ出力機器）であるか第２ＨＤＭＩ入力（つまり、第２ＨＤＭＩ出力機器）であるかを判定する。
【００３４】
制御部３１は、Ｓ３の判定が第１ＨＤＭＩ入力（第１ＨＤＭＩ出力機器）である場合、Ｓ４で、第１ＨＤＭＩ受信部３２に電源を供給する第１電源部３３に対して、第１ＨＤＭＩ受信部３２への電源供給を指示する電源制御信号を送る。これを受けて、第１電源部３３は、第１ＨＤＭＩ受信部３２に電源を供給する。次に、制御部３１は、第１ＨＤＭＩ出力機器１０が接続されているかを前述した接続検出処理の結果に応じて判定する（Ｓ５）。つまり、制御部３１に接続される第１ＨＤＭＩコネクタ１１のＰＯＷＥＲラインがＨレベルであるか否かで第１ＨＤＭＩ出力機器１０の接続を判定する。制御部３１は、Ｓ５で第１ＨＤＭＩ出力機器１０が未接続と判定される場合処理を終了し、接続と判定される場合には、第１ＨＤＭＩ出力機器１０に、第１ＨＤＭＩコネクタ１１内のＨＰＤラインを介して通信許可信号を送出し（Ｓ６）、処理を終了する。
【００３５】
同様に、Ｓ３の判定が第２ＨＤＭＩ入力（第２ＨＤＭＩ出力機器）である場合、Ｓ１４で、第２ＨＤＭＩ受信部３５に電源を供給する第２電源部３６に対して、第２ＨＤＭＩ受信部３５への電源供給を指示する電源制御信号を送る。これを受けて、第１電源部３６は、第２ＨＤＭＩ受信部３５に電源を供給する。次に、制御部３１は、第２ＨＤＭＩ出力機器２０が接続されているかを前述した接続検出処理の結果に応じて判定する（Ｓ１５）。制御部３１は、Ｓ１５で第２ＨＤＭＩ出力機器２０が未接続と判定される場合処理を終了し、接続と判定される場合には、第２ＨＤＭＩ出力機器２０に対して、第２ＨＤＭＩコネクタ２１内のＨＰＤラインを介して通信許可信号を送出し（Ｓ１６）、処理を終了する。
【００３６】
以上述べたフローチャートから明らかなように、本実施例では、ＨＤＭＩ入力（つまり、ＨＤＭＩ出力機器）が選択された後、当該入力側のＨＤＭＩ受信部に電源を供給するようにしている。すなわち、選択されてないＨＤＭＩ出力機器側のＨＤＭＩ受信部には電源が供給されないようになっている。従って、選択されてないＨＤＭＩ出力機器はＨＤＭＩ認証を開始することが出来ず、従来技術が有する課題の項で述べた不具合を回避することができる。
【００３７】
なお、本実施例においては、図２に示したように、ＨＤＭＩ入力（つまり、ＨＤＭＩ出力機器）が選択された後、当該ＨＤＭＩ出力機器側のＨＤＭＩ受信部に電源を供給し、その後、当該ＨＤＭＩ出力機器の接続検出処理を行うようにしたが、これに限定されるものではない。例えば、ＨＤＭＩ出力機器の接続を検出した後、該ＨＤＭＩ出力機器の選択→該ＨＤＭＩ出力機器側のＨＤＭＩ受信部への電源供給の処理を行うようにしてもよい。本実施例の要点は、ＨＤＭＩ入力（つまり、ＨＤＭＩ出力機器）が選択されるまで、当該ＨＤＭＩ出力機器側のＨＤＭＩ受信部に電源を供給しない点にある。
【実施例２】
【００３８】
実施例１では、いずれか一方のＨＤＭＩ入力（つまり、いずれか一方のＨＤＭＩ出力機器）が選択されると、当該ＨＤＭＩ入力側（当該ＨＤＭＩ出力機器側）のＨＤＭＩ受信部に電源が供給される仕組みとなっている。従って、当該ＨＤＭＩ入力へのＨＤＭＩ出力機器の接続の有無にかかわらず、選択されたＨＤＭＩ入力側のＨＤＭＩ受信部で電力が消費されることになる。これは、節電の点から好ましい事ではない。以下、節電に優れた映像受信装置を提供する実施例２について説明する。
【００３９】
図３は、本実施例によるＨＤＭＩ入力設定処理を示すフローチャートである。なお、図３において、図２と同一な処理ステップには同一符号を付して示し、その重複する説明を省略する。
【００４０】
図３から明らかなように、本実施例は、Ｓ２４，Ｓ２５（または、Ｓ３４，Ｓ３５）で異なり、その他の点は実施例１と同じなので、異なる処理についてのみ説明する。
【００４１】
本実施例では、制御部３１は、Ｓ３の判定が第１ＨＤＭＩ入力（第１ＨＤＭＩ出力機器）である場合、Ｓ２４で、第１ＨＤＭＩ出力機器１０が接続されているかを前述した接続検出処理の結果に応じて判定する。つまり、制御部３１に接続される第１ＨＤＭＩコネクタ１１のＰＯＷＥＲラインがＨレベルであるか否かで第１ＨＤＭＩ出力機器１０の接続を判定する。制御部３１は、Ｓ２４で第１ＨＤＭＩ出力機器１０が未接続と判定される場合処理を終了し、接続と判定される場合にはＳ２５に進む。
【００４２】
制御部３１は、Ｓ２５で、第１ＨＤＭＩ受信部３２に電源を供給する第１電源部３３に対して、第１ＨＤＭＩ受信部３２への電源供給を指示する電源制御信号を送る。これを受けて、第１電源部３３は、第１ＨＤＭＩ受信部３２に電源を供給する。そして、Ｓ６で、第１ＨＤＭＩコネクタ１１内のＨＰＤラインを介して第１ＨＤＭＩ出力機器１０に対して通信許可信号を送出し、処理を終了する。
【００４３】
同様に、Ｓ３の判定が第２ＨＤＭＩ入力（第２ＨＤＭＩ出力機器）である場合、制御部３１は、Ｓ３４で、第２ＨＤＭＩ出力機器２０が接続されているかを前述した接続検出処理の結果に応じて判定する。制御部３１は、Ｓ３４で第２ＨＤＭＩ出力機器２０が未接続と判定される場合処理を終了し、接続と判定される場合にはＳ３５に進む。
【００４４】
制御部３１は、Ｓ３５で、第２ＨＤＭＩ受信部３５に電源を供給する第２電源部３６に対して、第２ＨＤＭＩ受信部３５への電源供給を指示する電源制御信号を送る。これを受けて、第２電源部３６は、第２ＨＤＭＩ受信部３５に電源を供給する。そして、Ｓ１６で、第２ＨＤＭＩコネクタ２１内のＨＰＤラインを介して第２ＨＤＭＩ出力機器２０に対して通信許可信号を送出し、処理を終了する。
【００４５】
以上述べたように、本実施例では、いずれか一方のＨＤＭＩ入力（つまり、いずれか一方のＨＤＭＩ出力機器）が選択された後、当該ＨＤＭＩ入力側のＨＤＭＩ出力機器の接続の有無を確認し、ＨＤＭＩ出力機器の接続が検出されれば、当該ＨＤＭＩ入力側のＨＤＭＩ受信部に電源を供給する仕組みとしている。つまり、ＨＤＭＩ入力選択情報と選択されたＨＤＭＩ入力側ＨＤＭＩ出力機器接続情報とのＡＮＤ処理で対応するＨＤＭＩ受信部に電源を供給するので、必要なときにのみＨＤＭＩ受信部を動作させることができる。従って、低消費電力化を測ることができ、節電に優れた映像受信装置を提供することができる。勿論、本実施例においても、ＨＤＭＩ出力機器に対応するＨＤＭＩ入力が選択されないと、ＨＤＭＩ出力機器に対応するＨＤＭＩ受信部に電源が供給されないので、従来技術が有する課題の項で述べた不具合を回避することができることはいうまでもない。
【００４６】
上記の第１及び第２の実施例では、デジタルインターフェースの例としてＨＤＭＩを例にして説明したが、これに限られるものではなく、映像受信装置の仕様に関する情報を他の機器へ送信可能に設定されたインターフェースであれば、本発明を適用できることはは明らかである。また、上記第１及び第２の実施例では、複数の受信部にそれぞれ対応させて電源部とメモリを複数設けたが、スイッチなどを利用して、それぞれ１つずつ設けるようにしてもよい。
【図面の簡単な説明】
【００４７】
【図１】実施例に係わる複数のＨＤＭＩ入力を有する映像受信装置の概略ブロック図。
【図２】実施例１によるＨＤＭＩ入力設定処理を示すフローチャート。
【図３】実施例２によるＨＤＭＩ入力設定処理を示すフローチャート。
【符号の説明】
【００４８】
１０・・・第１ＨＤＭＩ出力機器、１１・・・第１ＨＤＭＩコネクタ、１２・・・第１ＨＤＭＩ出力端子、２０・・・第２ＨＤＭＩ出力機器、２１・・・第２ＨＤＭＩコネクタ、２２・・・第２ＨＤＭＩ出力端子、３０・・・映像受信装置、３１・・・制御部、３２・・・第１ＨＤＭＩ受信部、３２ａ・・・第１メモリ部、３５ａ・・・第２メモリ部、３３・・・第１電源部、３４・・・第１ＨＤＭＩ入力端子、３５・・・第２ＨＤＭＩ受信部、３６・・・第２電源部、３７・・・第２ＨＤＭＩ入力端子、３８・・・入力選択部、３９・・・映像表示部、
【図１】
2009177269.tif 000003
【図２】
2009177269.tif 000004
【図３】
2009177269.tif 000005